(57)【要約】【課題】酸性ガス含有大気中等の劣悪な環境中でも基板からのタイルの剥落の生じ難いタイルパネルの提供。【解決手段】複数のタイル１、１…を配したセメントボード２と、上下のタイル１、１…の目地中に配する、直上のタイル１、１…の下縁を係止する下縁係止片３ａ、直下のタイル１、１…の上縁を係止する上縁係止片３ｂ、その間の取付片３ｃを備えた中間係止金具３と、取付片３ｃをセメントボード２に固定するリベット部材４と、最上部又は最下部の複数のタイル１、１…の上縁又は下縁を係止する上下縁係止片５ａ、セメントボード２の上部小口２ａ又は下部小口２ｂを被覆係止する被覆係止片５ｂ、上下縁係止片５ａ及び被覆係止片５ｂの間から垂下又は直立し、最上部又は最下部のタイル１、１…とセメントボード２との間に挿入する係止舌片５ｃ、５ｃ…を備えた上下部係止金具５とからなる。【選択図】  図２
2014009532.tif 000002
【特許請求の範囲】
【請求項１】
前面に複数のタイルを取り付ける基板と、
前記基板の前面に縦横に配列する複数のタイルと、
上下隣接するタイルの目地中に配する中間係止金具であって、上方のタイルの下縁を係止する下縁係止片、下方のタイルの上縁を係止する上縁係止片、該下縁係止片及び該上縁係止片の間に位置する、固定金具手段を介して前記基板に取り付けるための取付片を備えた中間係止金具と、
前記中間係止金具を前記基板に取り付け固定する固定金具手段と、
前記基板の最上部又は最下部に配する上下部係止金具であって、前記基板の最上部又は最下部に配置したタイルの上縁又は下縁を係止する上下縁係止片、前記基板の上部小口又は下部小口を被覆しかつ係止する被覆係止片、前記上下縁係止片及び前記被覆係止片の間から垂下又は直立し、最上部又は最下部に配置したタイルと前記基板との間に挿入する複数の係止舌片を備えた上下部係止金具と、
で構成したタイルパネル。
【請求項２】
前記中間係止金具を構成する前記取付片を、上下隣接するタイルの目地巾に対応する巾の帯状部材に構成し、前記下縁係止片を、前記取付片の上端から前方に延びる載置板部であって、上方のタイルの下縁を載置する載置板部と、該載置板部の先端で、上側に、該載置板部との間の角度を鋭角にすべく屈曲した下縁係止部であって、上方のタイルの下縁を外面側から抱える下縁係止部とで構成し、前記上縁係止片を、前記取付片の下端から前方に延びる上部抑え板部であって、下方のタイルの上縁を抑える上部抑え板部と、該上部抑え板部の先端で、下側に、該上部抑え板部との間の角度を鋭角にすべく屈曲した上縁係止部であって、下方のタイルの上縁を外面側から抱える上縁係止部とで構成し、
前記上下部係止金具を構成する前記被覆係止片を、前記基板の上部小口又は下部小口を被覆する帯状の被覆板部と、該被覆板部の後端から垂下又は直立する抱持片とで構成し、前記上下縁係止片を、前記被覆板部の前端から延長する上下抑え板部であって、最上部のタイルの上縁又は最下部のタイルの下縁を抑える上下抑え板部と、該上下抑え板部の前端から垂下又は直立し、最上部のタイルの上縁又は最下部のタイルの下縁を外側から抱える抱持片とで構成し、前記係止舌片を、前記被覆板部と前記上下抑え板部との境界部分を除いてコ字形又は逆コ字形に切り込みを形成し、その内側の四辺形片を該境界部分で直立状又は垂下状に屈曲して形成することとした請求項１のタイルパネル。
【請求項３】
前記タイルに、その上下縁に沿って、該上下縁の前面側角部を段差状に切り欠いた段差状切欠部を形成し、
前記中間係止金具を構成する前記下縁係止片を、前記取付片の上端から前方に延びる載置板部であって、上方のタイルの下縁の前記段差状切欠部を形成しない部位を載置する載置板部と、該載置板部の先端で、上側に、該載置板部との間の角度を鋭角にすべく屈曲した下縁係止部であって、上方のタイルの下縁の前記段差状切欠部の前面を外面側から抱える下縁係止部とで構成し、前記上縁係止片を、前記取付片の下端から前方に延びる上部抑え板部であって、下方のタイルの上縁の前記段差状切欠部を形成しない部位を抑える上部抑え板部と、該上部抑え板部の先端で、下側に、該上部抑え板部との間の角度を鋭角にすべく屈曲した上縁係止部であって、下方のタイルの上縁の前記段差状切欠部の前面を外面側から抱える上縁係止部とで構成し、
前記上下部係止金具を構成する前記上下縁係止片を、前記被覆板部の前端から延長する上下抑え板部であって、最上部のタイルの上縁又は最下部のタイルの下縁の前記段差状切欠部を形成しない部位を抑える上下抑え板部と、該上下抑え板部の前端から垂下又は直立し、最上部のタイルの上縁又は最下部のタイルの下縁の前記段差状切欠部の前面を外側から抱える抱持片とで構成した請求項２のタイルパネル。
【請求項４】
前記タイルに、その上下縁に沿って、該上下縁の前面側角部を切り欠いた面取り状切欠部を構成し、
前記中間係止金具を構成する前記下縁係止片を、前記取付片の上端から前方に延びる載置板部であって、上方のタイルの下縁の面取り状切欠部を形成しない部位を載置する載置板部と、該載置板部の先端で、上側に、該載置板部との間の角度を鈍角にすべく屈曲した下縁係止部であって、上方のタイルの下縁の前記面取り状切欠部に当接してこれを抱える下縁係止部とで構成し、前記上縁係止片を、前記取付片の下端から前方に延びる上部抑え板部であって、下方のタイルの上縁の前記面取り状切欠部を形成しない部位を抑える上部抑え板部と、該上部抑え板部の先端で、下側に、該上部抑え板部との間の角度を鈍角にすべく屈曲した上縁係止部であって、下方のタイルの上縁の前記面取り状切欠部に当接してこれを抱える上縁係止部とで構成し、
前記上下部係止金具を構成する前記上下縁係止片を、前記被覆板部の前端から延長する上下抑え板部であって、最上部のタイルの上縁又は最下部のタイルの下縁の前記面取り状切欠部を形成しない部位を抑える上下抑え板部と、該上下抑え板部の前端から下方又は上方に、該上下抑え板部との間の角度を鈍角にすべく延長し、最上部のタイルの上縁又は最下部のタイルの下縁の前記面取り状切欠部に当接してこれを抱える抱持片とで構成した請求項２のタイルパネル。
【発明の詳細な説明】
【技術分野】
【０００１】
本発明は、複数のタイルを基材の前面に配列・固定してなる、トンネルの壁面に設置するためのタイルパネルに関する。
【背景技術】
【０００２】
トンネルの壁面に設置するためのタイルパネルに関してはいくつかの提案例がある。
特許文献１は、その一例であり、トンネル内装用タイルパネルに関する。これは、多孔質軽量型基材の表面にタイルが接着されて構成されるトンネル内装用タイルパネルにおいて、前記多孔質軽量型基材の裏面上及び小口面上に、造膜タイプのアクリルウレタンシーラーを塗布し硬化させてなる、膜厚が１０μｍ以上４５μｍ以下のシーラー層を有するトンネル内装用タイルパネルである。
【０００３】
特許文献１のトンネル内装用タイルパネルによれば、基材の表面がタイルで覆われ、裏面及び小口面が造膜タイプのアクリルウレタンシーラーで被覆されているため、該基材への水分・湿分の吸放水・吸放湿が防止され、該基材の膨張収縮に起因した反りの発生が抑制されるとされる。しかし、該基材の表面のタイルは接着されているものであり、これをトンネルの壁面に取り付けた場合は、トンネル内の劣悪な環境、例えば、温度の変化、周囲の湿潤及び自動車の排気ガス等により、接着剤が劣化し、該タイルが剥落する恐れが生じる。トンネル内でのタイルの剥落は重大な交通事故を引き起こす可能性があり、極力回避すべきものである。前記シーラーにより基材の反りが減少することにより、その反りがある場合よりは、剥落のおそれは低下するかも知れないが、その程度では、タイルの剥落の回避のためには全く不十分である。
【０００４】
特許文献２は、曲面用タイルパネルに関する。この曲面用タイルパネルは、フレキシブル基板に、該フレキシブル基板に面する裏面側の少なくとも一辺部で、躯体曲面と直交する側の辺に厚さを減少させた断面欠損部を有する複数のタイルを貼り付けてなるものである
【０００５】
特許文献２の曲面用タイルパネルによれば、トンネルの壁面にこれを取り付ける場合に、基板に貼り付けたタイルの該当する一部に欠損部が形成してあるため、その壁面の曲率に合わせて屈曲することが容易であり、その面では好都合である。しかし、基板へのタイルの取り付けは貼り付けによって行うものであり、実施例によって確認すると、より具体的には、接着剤を介して貼り付けるとあり、タイルは基板に接着剤によって接着接合するものである。しかも前記欠損部を形成したため、タイルの基板への接着面積も小さくなっている。前記のように、トンネル内は、湿度変化も大きく、大気中には自動車の排気ガスに起因する酸性ガスも多く含まれている。それ故、接着剤は短期間で容易に劣化し、タイルの剥落のおそれを発生させる。
【０００６】
特許文献３は、タイルパネルに関し、可撓性を有する平板状の基板の片面上に、タイルを縦横に複数個ずつ並べて固定してなるタイルパネルであって、前記タイルパネルの複数箇所に、隣接して並ぶタイルの隣接しあう各々のコーナー部を切り欠いてなる切欠部を設けることによって、前記コーナー部にタイルパネル取付用の基板露出部を形成したものである。
【０００７】
特許文献３のタイルパネルによれば、可撓性の基板を採用したため、トンネルの湾曲した壁面に対応させて取り付けることが可能であり、隣接する四個のタイルのコーナー部を切り欠いた切欠部の内側、すなわち、基板露出部にアンカー等の取付具を打設することができるので、これがタイルより前方に突出するのを極力抑えることができる。しかし特許文献３のタイルパネルは、可撓性の基板へのタイルの取り付けに関しては、特別に工夫は見られず、接着剤で取り付ける実施形態が示されているのみである。劣悪な環境であるトンネル内では、このような接着剤は酸性ガス等により比較的短期間に容易に劣化し、該接着剤を介して基板に取り付けたタイルは剥落を生じる虞がある。
【０００８】
特許文献４は、タイル貼りボードの製造方法に関するものであり、これは、縦横に配置したタイルの一側表面上に、接着剤を用いて、多孔質素材からなる基板、又は、貫通孔を有する基板を接着し、該接着剤を硬化することによるタイル貼りボードの製造方法である。またはこれに代えて、剥離紙に複数のタイルの一側表面を接着し、同タイルの他側表面上に、接着剤を用いて、多孔質素材からなる基板、又は、貫通孔を有する基板を接着し、接着剤の硬化後、剥離紙を複数のタイルから剥離することによるタイル貼りボードの製造方法である。以上において、基板として、石綿板、ケイカル板、石膏ボード、モルタル板、繊維入りセメント板、セラミック板、金属板、合成樹脂板を用い、接着剤として、ポリマーセメントを用いたものである。
【０００９】
特許文献４のタイル貼りボードの製造方法によれば、製造されるタイル貼りボードは、基板に接着剤を介してタイルを貼り付けたものであるが、その製造工程において、接着剤から気泡を外部に逃がすことができるため、耐火試験や実際の火災等においても気泡を外部に効果的に逃がすことが可能であり、気泡の膨張によりタイルと基板との間隔を広げ、これによってタイルの基板からの剥落を生じさせることとなる問題を回避することができる、とされる。
【００１０】
火災等の熱により接着剤中の気泡が膨張する問題を回避することができることは、確かであるように思われるが、このようなタイル貼りボードがトンネル内の壁面に取り付けられた場合は、前記したように、酸性ガスが存在する等のトンネル内の劣悪な環境下で、接着剤が劣化し、比較的短期間の内に、ボード上のタイルの剥落が生じる虞がある。タイルを接着剤を用いてボードに貼り付ける以上そのような剥落の問題を回避することは困難である。
【００１１】
特許文献５は、トンネル内装用パネルに関するものであり、これは、基板にタイルを並べて貼り付けたトンネル内装用パネルにおいて、表面の拡散反射率の差が１０％以上異なる２種のタイルを用い、拡散反射率の低い方を表示的に配置したものである。
【００１２】
この特許文献５のトンネル内装用パネルによれば、規制又は案内等の表示を拡散反射率の低いタイルを用いて行い、それ以外のタイルとして、拡散反射率の低い方より１０％以上高いタイルを用いているため、トンネル内の光源として、ナトリウム灯を用いているような場合であっても、その拡散反射によりトンネル内を十分に明るく保持しながら、拡散反射率の低いタイルにより、表示を見やすく保持することができるものであることは、確かであると思われる。
【００１３】
しかしいずれのタイルも接着剤を介して基板に貼り付けたものであり、これをトンネルの壁面に取り付けた場合は、前記した特許文献１〜４の各々のタイルパネル類の場合と同様に、酸性ガスが存在するトンネル内の劣悪な環境下では、タイルを基板に固着する接着剤が劣化し、比較的短期間の内に、基板上のタイルの剥落が生じる虞がある。どのようなタイルであれ、タイルを接着剤を用いて基板に貼り付ける以上、上記のような基板からの剥落の問題を回避することは困難である。
【先行技術文献】
【特許文献】
【００１４】
【特許文献１】特開２００３−３２８６９７号公報
【特許文献２】特開２００５−０８３０３１号公報
【特許文献３】特開２００８−１９０２９５号公報
【特許文献４】特開平０５−０５７７１８号公報
【特許文献５】実開平０４−０８４４９４号公報
【発明の概要】
【発明が解決しようとする課題】
【００１５】
本発明は、複数のタイルを基材の前面に配列・固定してなる、トンネルの壁面に設置するためのタイルパネルであって、トンネル内の不良な水分状態、排気ガス等により汚染された大気状態、過酷な温度変化、その他による劣悪な環境の中でも、容易に基板からのタイルの剥落の生じないタイルパネルを提供することを解決の課題とする。
【課題を解決するための手段】
【００１６】
本発明の１は、前面に複数のタイルを取り付ける基板と、
前記基板の前面に縦横に配列する複数のタイルと、
上下隣接するタイルの目地中に配する中間係止金具であって、上方のタイルの下縁を係止する下縁係止片、下方のタイルの上縁を係止する上縁係止片、該下縁係止片及び該上縁係止片の間に位置する、固定金具手段を介して前記基板に取り付けるための取付片を備えた中間係止金具と、
前記中間係止金具を前記取付片を介して前記基板に取り付け固定する固定金具手段と、
前記基板の最上部又は最下部に配する上下部係止金具であって、前記基板の最上部又は最下部に配置したタイルの上縁又は下縁を係止する上下縁係止片、前記基板の上部小口又は下部小口を被覆しかつ係止する被覆係止片、前記上下縁係止片及び前記被覆係止片の間から垂下又は直立し、最上部又は最下部に配置したタイルと前記基板との間に挿入する複数の係止舌片を備えた上下部係止金具と、
で構成したタイルパネルである。
【００１７】
本発明の２は、本発明の１のタイルパネルにおいて、
前記中間係止金具を構成する前記取付片を、上下隣接するタイルの目地巾に対応する巾の帯状部材に構成し、前記下縁係止片を、前記取付片の上端から前方に延びる載置板部であって、上方のタイルの下縁を載置する載置板部と、該載置板部の先端で、上側に、該載置板部との間の角度を鋭角にすべく屈曲した下縁係止部であって、上方のタイルの下縁を外面側から抱える下縁係止部とで構成し、前記上縁係止片を、前記取付片の下端から前方に延びる上部抑え板部であって、下方のタイルの上縁を抑える上部抑え板部と、該上部抑え板部の先端で、下側に、該上部抑え板部との間の角度を鋭角にすべく屈曲した上縁係止部であって、下方のタイルの上縁を外面側から抱える上縁係止部とで構成し、
前記上下部係止金具を構成する前記被覆係止片を、前記基板の上部小口又は下部小口を被覆する帯状の被覆板部と、該被覆板部の後端から垂下又は直立する抱持片とで構成し、前記上下縁係止片を、前記被覆板部の前端から延長する上下抑え板部であって、最上部のタイルの上縁又は最下部のタイルの下縁を抑える上下抑え板部と、該上下抑え板部の前端から垂下又は直立し、最上部のタイルの上縁又は最下部のタイルの下縁を外側から抱える抱持片とで構成し、前記係止舌片を、前記被覆板部と前記上下抑え板部との境界部分を除いてコ字形又は逆コ字形に切り込みを形成し、その内側の四辺形片を該境界部分で直立状又は垂下状に屈曲して形成することとしたものである。
【００１８】
本発明の３は、本発明の２のタイルパネルにおいて、
前記タイルに、その上下縁に沿って、該上下縁の前面側角部を段差状に切り欠いた段差状切欠部を形成し、
前記中間係止金具を構成する前記下縁係止片を、前記取付片の上端から前方に延びる載置板部であって、上方のタイルの下縁の前記段差状切欠部を形成しない部位を載置する載置板部と、該載置板部の先端で、上側に、該載置板部との間の角度を鋭角にすべく屈曲した下縁係止部であって、上方のタイルの下縁の前記段差状切欠部の前面を外面側から抱える下縁係止部とで構成し、前記上縁係止片を、前記取付片の下端から前方に延びる上部抑え板部であって、下方のタイルの上縁の前記段差状切欠部を形成しない部位を抑える上部抑え板部と、該上部抑え板部の先端で、下側に、該上部抑え板部との間の角度を鋭角にすべく屈曲した上縁係止部であって、下方のタイルの上縁の前記段差状切欠部の前面を外面側から抱える上縁係止部とで構成し、
前記上下部係止金具を構成する前記上下縁係止片を、前記被覆板部の前端から延長する上下抑え板部であって、最上部のタイルの上縁又は最下部のタイルの下縁の前記段差状切欠部を形成しない部位を抑える上下抑え板部と、該上下抑え板部の前端から垂下又は直立し、最上部のタイルの上縁又は最下部のタイルの下縁の前記段差状切欠部の前面を外側から抱える抱持片とで構成したものである。
【００１９】
本発明の４は、本発明の２のタイルパネルにおいて、
前記タイルに、その上下縁に沿って、該上下縁の前面側角部を切り欠いた面取り状切欠部を構成し、
前記中間係止金具を構成する前記下縁係止片を、前記取付片の上端から前方に延びる載置板部であって、上方のタイルの下縁の面取り状切欠部を形成しない部位を載置する載置板部と、該載置板部の先端で、上側に、該載置板部との間の角度を鈍角にすべく屈曲した下縁係止部であって、上方のタイルの下縁の前記面取り状切欠部に当接してこれを抱える下縁係止部とで構成し、前記上縁係止片を、前記取付片の下端から前方に延びる上部抑え板部であって、下方のタイルの上縁の前記面取り状切欠部を形成しない部位を抑える上部抑え板部と、該上部抑え板部の先端で、下側に、該上部抑え板部との間の角度を鈍角にすべく屈曲した上縁係止部であって、下方のタイルの上縁の前記面取り状切欠部に当接してこれを抱える上縁係止部とで構成し、
前記上下部係止金具を構成する前記上下縁係止片を、前記被覆板部の前端から延長する上下抑え板部であって、最上部のタイルの上縁又は最下部のタイルの下縁の前記面取り状切欠部を形成しない部位を抑える上下抑え板部と、該上下抑え板部の前端から下方又は上方に、該上下抑え板部との間の角度を鈍角にすべく延長し、最上部のタイルの上縁又は最下部のタイルの下縁の前記面取り状切欠部に当接してこれを抱える抱持片とで構成したものである。
【発明の効果】
【００２０】
したがって、本発明の１のタイルパネルによれば、簡単な構成で簡単に製造することが可能でありながら、基板に取り付ける複数のタイルは、前記中間係止金具及び前記上下部係止金具により、基板の前面に配列した複数のタイルを該基板に取り付け固定し、かつ該中間係止金具を前記固定金具手段により該基板に取り付け固定することにより、該複数のタイルの基板への取付状態を確実なものとすることができる。
【００２１】
すなわち、本発明の１のタイルパネルによれば、タイルを適切な構成の金具類によって基板に取り付け固定するものであり、トンネルの壁面に設置された場合に、その内部の大気中の酸性ガスの存在等の劣悪な環境でもタイルの剥落事故等を容易に生じさせない。タイルを基板に接着剤で接合固定した従来のタイルパネルでは、接着剤の劣化が容易に生じて剥落の恐れが生じるのとは大きく異なる。この差は、トンネル内でタイルの剥落事故が起こると、重大な交通事故を惹起する虞があることを考慮すれば、極めて大きい。
【００２２】
また本発明の１のタイルパネルによれば、基板の上下の端部である上部小口又は下部小口を、最上部のタイル又は最下部のタイルを該基板に固定する前記上下部係止金具の被覆係止片で被覆する構成としてあるため、基板として安価なセメントボードを使用しても、その上部小口又は下部小口を良好に被覆でき、小口からの水分の滲入を良好に防止することができる。従ってこれに起因するセメントボードの膨張変形を極力少なくすることができる。
【００２３】
本発明の２のタイルパネルによれば、まず本発明の１のタイルパネルと同様の効果を有する。更に本発明の２のタイルパネルによれば、前記中間係止金具の下縁係止部及び上縁係止部をそれぞれタイルの下縁又は上縁を外面側から抑えるべく鋭角に屈曲して形成したものであり、そのため、前記下縁係止部及び前記上縁係止部の先端側がタイルの外面から反り返って離間した状態になることはない。それ故、前記下縁係止部及び前記上縁係止部によるタイルの保持が確実になり、更にトンネルの壁面を洗浄装置で洗浄する際に、その先端側に、洗浄部材が引っかかってしまうような問題は生じない。
【００２４】
また本発明の２のタイルパネルによれば、前記上下部係止金具を構成する前記被覆係止片を、前記基板の上部小口又は下部小口を被覆する帯状の被覆板部と、該被覆板部の後端から垂下又は直立する抱持片とで構成したものであり、該上部小口又は下部小口を確実に被覆できるものであり、それ故、基板として、セメントボード等を採用した場合であっても、その部位からの水分の滲入を防止することが可能であり、水分の滲入による膨張等の変形を防止することが可能になる。
【００２５】
本発明の３のタイルパネルによれば、これも、本発明の１のタイルパネルと同様の効果を有する。更に本発明の３のタイルパネルによれば、前記中間係止金具の下縁係止部及び上縁係止部をそれぞれタイルの下縁又は上縁の段差状切欠部の前面を外面側から抑えるべく鋭角に屈曲して形成したものであり、そのため、前記下縁係止部及び前記上縁係止部の先端側がタイルの外面から反り返って離間した状態になることはない。それ故、前記下縁係止部及び前記上縁係止部によるタイルの保持が確実になり、加えて、該下縁係止部及び該上縁係止部が、タイルの前面から若干後退した段差状切欠部の前面に位置することとなっているため、これらが目立たなくなり、特にトンネルの壁面に設置した場合は、走行する自動車から見ることとなるため、殆どその存在が不明な程度となる。また該下縁係止部及び該上縁係止部は、以上のように、タイルの前面から後退した位置関係に存在するので、トンネルの壁面に設置した場合に、その壁面を洗浄装置で洗浄しても、その際に、その先端も含めて、いずれの部位にも洗浄部材が引っかかってしまうような問題は生じない。
【００２６】
また本発明の３のタイルパネルによれば、本発明の２のタイルパネルのそれと同様に、前記上下部係止金具を構成する前記被覆係止片を、前記基板の上部小口又は下部小口を被覆する帯状の被覆板部と、該被覆板部の後端から垂下又は直立する抱持片とで構成したものであり、該上部小口又は該下部小口を確実に被覆できるものであり、それ故、基板として、セメントボード等を採用した場合であっても、それらの小口からの水分の滲入を防止することが可能であり、水分の滲入による膨張等の変形を防止することが可能になる。
【００２７】
本発明の４のタイルパネルによれば、これも、本発明の１のタイルパネルと同様の効果を有する。更に本発明の４のタイルパネルによれば、前記中間係止金具の下縁係止部及び上縁係止部をそれぞれタイルの下縁又は上縁の面取り状切欠部を接合状態に抱えるべく角度を合わせて鈍角に屈曲して形成したものであり、そのため、タイルを良好に抱えて支持することが可能であるとともに、該下縁係止部及び前記上縁係止部がタイルの外面側から目立たなくなり、本発明の３のそれと同様に、特にトンネルの壁面に設置した場合は、走行する自動車からこれらを見ることとなるため、殆どその存在が不明な程度となる。また該下縁係止部及び該上縁係止部は、以上のように、タイルの前面から若干後退した側面に位置するので、トンネルの壁面に設置した場合に、その壁面を洗浄装置で洗浄しても、その際に、その先端等に洗浄部材が引っかかってしまうような問題は生じない。
【００２８】
また本発明の４のタイルパネルによれば、本発明の２又は３のタイルパネルのそれと同様に、前記上下部係止金具を構成する前記被覆係止片を、前記基板の上部小口又は下部小口を被覆する帯状の被覆板部と、該被覆板部の後端から垂下又は直立する抱持片とで構成したものであり、該上部小口又は該下部小口を確実に被覆できるものであり、それ故、基板として、セメントボード等を採用した場合であっても、それらの小口からの水分の滲入を防止することが可能であり、水分の滲入による膨張等の変形を防止することが可能になる。
【図面の簡単な説明】
【００２９】
【図１】(a)は実施例１のタイルパネルの一部切欠平面図、(b)は一部切欠正面図、(c)は右側面図。
【図２】(a)は実施例１のタイルパネルの拡大平面部分図、(b)は一部切欠拡大正面部分図、(c)は一部切欠拡大右側面部分図。
【図３】(a)は実施例１のセメントボード（基板）の一部切欠平面図、(b)は一部切欠正面図、(c)は右側面図。
【図４】(a)は実施例１のタイルの平面図、(b)は正面図、(c)は右側面図。
【図５】(a)は実施例１の上下部係止金具の一部切欠平面図、(b)は一部切欠正面図、(c)は右側面図、(d)は実施例１の上下部係止金具の拡大平面部分図、(e)は拡大正面部分図、(f)は拡大右側面図、(g)は(e)のＡ−Ａ線断面図。
【図６】(a)は実施例１の中間係止金具の一部切欠正面図、(b)は右側面図、(c)は実施例１の中間係止金具の拡大部分正面図、(d)は拡大右側面図、(e)は実施例１のリベット部材（固定手段）の側面図、(f)はその拡大図。
【図７】(a)は実施例２のタイルパネルの一部切欠平面図、(b)は一部切欠正面図、(c)は一部切欠右側面図。
【図８】(a)は実施例２のタイルパネルの拡大平面部分図、(b)は一部切欠正面部分図、(c)は一部切欠右側面図。
【図９】(a)は実施例２の上下部係止金具の拡大平面図、(b)は拡大正面図、(c)は拡大右側面図、(d)は(b)のＢ−Ｂ線断面図、(e)は(c)を更に拡大した拡大右側面図、(f)は(d)を更に拡大したＢ−Ｂ線断面図。
【図１０】(a)は実施例２の中間係止金具の拡大正面部分図、(b)は拡大右側面図、(c)は(b)を更に拡大した拡大右側面図、(d)は実施例２のタイルの拡大平面部分図、(e)は拡大正面部分図、(f)は拡大右側面図。
【図１１】(a)は実施例３のタイルパネルの一部切欠平面図、(b)は一部切欠正面図、(c)は右側面図。
【図１２】(a)は実施例３のタイルパネルの拡大平面部分図、(b)は一部切欠拡大正面部分図、(c)は一部切欠拡大右側面部分図。
【図１３】(a)は実施例３の上下部係止金具の一部切欠平面図、(b)は一部切欠正面図、(c)は右側面図、(d)は実施例３の上下部係止金具の拡大平面部分図、(e)は拡大正面部分図、(f)は拡大右側面図、(g)は(e)のＣ−Ｃ線断面図。
【図１４】(a)は実施例３の中間係止金具の一部切欠平面図、(b)は一部切欠正面図、(c)は右側面図、(d)は実施例３の中間係止金具の拡大平面部分図、(e)は拡大正面部分図、(f)は拡大右側面図、(g)は(e)のＤ−Ｄ線断面図。
【発明を実施するための形態】
【００３０】
本発明を実施する形態を、実施例に基づいて図面を参照しながら説明する。
【００３１】
＜実施例１＞
この実施例１のタイルパネルは、図１(a)〜(c)及び図２(a)〜(c)に示すように、前面に複数のタイル１、１…を配列したセメントボード（基板）２と、該セメントボード２の前面に縦横に配列した複数のタイル１、１…と、上下隣接する複数のタイル１、１…の目地中に配する、直上の複数のタイル１、１…の下縁を係止する下縁係止片３ａ、直下の複数のタイル１、１…の上縁を係止する上縁係止片３ｂ、該下縁係止片３ａ及び該上縁係止片３ｂの間に位置する取付片３ｃを備えた中間係止金具３と、該中間係止金具３を該取付片３ｃを介して前記セメントボード２に取り付け固定するリベット部材（固定金具手段）４と、前記セメントボード２の最上部又は最下部に配し、その最上部又は最下部の複数のタイル１、１…の上縁又は下縁を係止する上下縁係止片５ａ、前記セメントボード２の上部小口２ａ又は下部小口２ｂを被覆しかつ係止する被覆係止片５ｂ、前記上下縁係止片５ａ及び前記被覆係止片５ｂの間から垂下又は直立し、最上部又は最下部のタイル１、１…と前記セメントボード２との間に挿入する複数の係止舌片５ｃ、５ｃ…を備えた上下部係止金具５と、で構成したものである。
【００３２】
前記タイル１は、図１(a)〜(c)、図２(a)〜(c)及び図４(a)〜(c)に示すように、一般的な四辺形のセラミック製のそれであり、特に加工は施していない。
【００３３】
前記セメントボード１は、図１(a)〜(c)、図２(a)〜(c)及び図３(a)〜(c)に示すように、横長長方形の公知の基板部材であり、通常、小口を除いてその外面には防水用のシーラーが施してある。
【００３４】
前記中間係止金具３は、この実施例１では、先に述べ、図１(b)、(c)、図２(b)、(c)及び図６(a)〜(d)に示すように、ステンレススチールで一体に形成した下縁係止片３ａ、上縁係止片３ｂ及び取付片３ｃで構成したものである。そのうち、取付片３ｃは、同図に示すように、上下に隣接する複数のタイル１、１…の目地巾に一致する巾の帯状部材に構成したものであり、その長さ方向に沿って定間隔で取付孔３ｃｈが開口してある。なお、この取付孔３ｃｈは、前記リベット部材４を貫通させるための開口部である。
【００３５】
前記下縁係止片３ａは、同図に示すように、以上の取付片３ｃの上端から前方に延長して直上の複数のタイル１、１…の下縁を載置する載置板部３ａ１と、該載置板部３ａ１の先端で上側に鋭角に屈曲した、直上の複数のタイル１、１…の下縁を外面側から抱える下縁係止部３ａ２とで構成したものである。該載置板部３ａ１は、従って、前記取付片３ｃの上端からこれに直角に屈曲する方向に延長し、その延長幅は、タイル１、１を僅かに越える程度の寸法とする。また前記下縁係止部３ａ２は、前記のように、前記載置板部３ａ１の先端で上側に屈曲して形成するものであり、該下縁係止部３ａ２と該載置板部３ａ１との間の角度が鋭角となるように構成する。この実施例１では、この角度は９０度を僅かに下回る程度とする。
【００３６】
前記上縁係止片３ｂは、図１(b)、(c)、図２(b)、(c)及び図６(a)〜(d)に示すように、前記取付片３ｃの下端から前方に延長して直下の複数のタイル１、１…の上縁を抑える上部抑え板部３ｂ１と、該上部抑え板部３ｂ１の先端で下側に鋭角に屈曲した、直下の複数のタイル１、１…の上縁を外面側から抱える上縁係止部３ｂ２とで構成したものである。該上部抑え板部３ｂ１は、従って、前記取付片３ｃの下端からこれに直角に屈曲する方向に延長し、その延長幅は、前記載置板部３ａ１と全く同様に、タイル１、１を僅かに越える程度の寸法とする。また前記上縁係止部３ｂは、前記のように、前記上部抑え板部３ｂ１の先端で下側に屈曲して形成するものであり、該上縁係止部３ｂ２と該上部抑え板部３ｂ１との間の角度が鋭角となるように構成する。この実施例１では、この角度は９０度を僅かに下回る程度とする。
【００３７】
こうして前記中間係止金具３は、図１(c)、図２(c)及び図６(b)、(d)に示すように、その中央仮装線を対称軸として上下が対象となる構成となっているものである。
【００３８】
前記リベット部材４は、特に図６(e)、(f)に示すように、管状部材と端部の皿状頭部からなる中空リベット４ａと、拡大頭部及びこれから延長した軸部材からなり、該軸部材を該中空リベット４ａにその皿状頭部と反対側から挿入貫通させた心軸４ｂとからなるそれを採用した。勿論、前記中間係止金具３の取付片３ｃを前記セメントボード２の所定の部位に固定できる手段であれば、これに限定されない。
【００３９】
前記リベット部材４は、前記したように、前記中間係止金具３の取付片３ｃをセメントボード２の所定の位置に取り付けるべく用いる。セメントボード２の所定の位置に配置した前記中間係止金具３の取付片３ｃの取付孔３ｃｈに対応させて該セメントボード２にその表裏を貫通する連結孔を穿設開口させ、該取付孔３ｃｈ及び該連結孔にセメントボード２の裏面側から中空リベット４ａを貫通させ、その先端を取付片３ｃの前面側に突出させる。なお、この時、該中空リベット４ａの皿状頭部とセメントボード２の背面との間にはワッシャ及び弾性シール材を挿入しておく。また、該中空リベット４ａの取付片３ｃの前面側に突出した先端から心軸４ｂを挿入し、その拡大頭部と反対側を中空リベット４ａの皿状頭部側から突出させる。この後、該心軸４ｂをセメントボード２の背後側に強く引くと、図２(c)に示すように、中空リベット４ａの取付片３ｃから突出した部位が拡大頭部により拡大させられ、該中空リベット４ａにより該取付片３ｃはセメントボード２の前面側に固定状態となる。心軸４ｂは、更に強く引かれると、拡大頭部のセメントボード２寄り側で断裂状態となる。こうしてリベット部材４による中間係止金具３の取付片３ｃのセメントボード２への取り付け固定状態が確保される。
【００４０】
前記上下部係止金具５は、前記し、図１(a)〜(c)、図２(a)〜(c)及び図５(a)〜(g)に示すように、上下縁係止片５ａ、被覆係止片５ｂ、係止舌片５ｃ、５ｃ…を一体に構成したステンレススチール製の部材である。
【００４１】
以上のうち、前記被覆係止片５ｂは、同図に示すように、前記セメントボード２の上部小口２ａ又は下部小口２ｂを被覆する帯状の被覆板部５ｂ１と、該被覆板部５ｂ１の後端（セメントボード２の背面側に対応する端部）から垂下又は直立する抱持片５ｂ２とで構成したものである。従って該被覆係止片５ｂの巾は該セメントボード２の厚さとほぼ一致する巾寸法である。
【００４２】
前記上下縁係止片５ａは、同図に示すように、前記被覆板部５ｂ１の前端（セメントボード２の前面側に対応する端部）から延長し、最上部の複数のタイル１、１…の上縁又は最下部の複数のタイル１、１…の下縁を抑える帯状部材である上下抑え板部５ａ１と、該上下抑え板部５ａ１の前端から垂下又は直立し、最上部の複数のタイル１、１…の上縁又は最下部の複数のタイル１、１…の下縁を外側から抱える抱持片５ａ２とで構成したものである。従って前記上下抑え板部５ａ１の巾は該タイル１、１…の厚さとほぼ一致する巾寸法である。
【００４３】
また前記係止舌片５ｃは、同図に示すように、前記上下縁係止片５ａの上下抑え板部５ａ１と前記被覆係止片５ｂの被覆板部５ｂ１との境界となる部位から垂下又は直立する板状部材であり、前記上下部係止金具５の長さ方向に沿って、定間隔で複数箇所に構成するものである。個々の係止舌片５ｃは、特に図２(a)及び図５(a)、(d)に示すように、前記被覆板部５ｂ１と前記上下抑え板部５ａ１との境界部分を除いてコ字形又は逆コ字形に切り込みを形成し、その内側の四辺形片を該境界部分で直立状又は垂下状に屈曲して形成することとしたものである。前記し、特に図１(b)、(c)及び図２(b)、(c)に示すように、これらの係止舌片５ｃ、５ｃ…は、最上部又は最下部のタイル１、１…と前記セメントボード２との間に挿入し、これらを備えた上下部係止金具５を タイル１、１…を配したセメントボード２の最上部又は最下部に固定することにより、該タイル１、１…とセメントボード２との接合状態を確実にするものである。
【００４４】
従ってこの実施例のタイルパネルは、図１に示すように、セメントボード２の前面にタイル１、１…を縦横に配列し、該タイル１、１…を、前記中間係止金具３、３…と、上下部係止金具５、５と、前記中間係止金具３、３…をセメントボード２に固定するリベット部材４、４…とで、固定することで、容易かつ確実に構成することができる。
【００４５】
セメントボード２の前面に縦横に配列したタイル１、１…は、この実施例１では、その裏面に予め接着剤を施しておくことにより、セメントボード２の前面への配列時に、一応の固定ができるようにしておく。なお、接着剤はセメントボード２の前面側に予め施しておくこととしても良い。またこの実施例１では、接着剤としては、エポキシ系のそれを用いた。
【００４６】
この後、上下隣接するタイル１、１…間の目地には、図１(b)、(c)及び図２(b)、(c)に示すように、いずれも前記中間係止金具３を配置する。同図に示すように、このように配置すると、直上のタイル１、１…の下縁を前記下縁係止片３ａの載置板部３ａ１で受け、その先端の下縁係止部３ａ２で該直上のタイル１、１…の下縁を外面側から抱えた状態となる。また、同図に示すように、直下のタイル１、１…の上縁を前記上縁係止片３ｂの上部抑え板部３ｂ１で抑え、その先端の上縁係止部３ｂ２で該直下のタイル１、１…の上縁を外面側から抱えた状態となる。
【００４７】
前記取付片３ｃには、前記し、図６(a)に示すように、その長さ方向に沿って定間隔で取付孔３ｃｈが開口してあり、これらの取付孔３ｃｈ、３ｃｈ…を利用して、前記し、特に図２(b)、(c)に示すように、前記リベット部材４により該取付片３ｃをセメントボード２の前面に固定する。
【００４８】
またセメントボード２の上部小口２ａと下部小口２ｂ及び最上部のタイル１、１…の上縁と最下部のタイル１、１…の下縁には、それぞれ前記上下部係止金具５を配する。
【００４９】
セメントボード２の上部小口２ａには、図２(a)、(b)、(c)に示すように、前記上下部係止金具５の被覆係止片５ｂを配置する。特に被覆係止片５ｂの被覆板部５ｂ１を上部小口２ａ上に接合状態に配置し、その後端の抱持片５ｂ２を該セメントボード２の背面上部に接合状態に配する。このとき、同時に、該被覆板部５ｂ１と上下抑え板部５ａ１との境界部分から垂下する複数の係止舌片５ｃ、５ｃ…をセメントボード２の前面とタイル１、１…の背面との間に挿入する。この挿入は、該セメントボード２と該タイル１、１…との間の接着剤が硬化しないうちに行う。このとき、更に同時に、該被覆板部５ｂ１から前方に延長する上下部係止片５ａの上下抑え板部５ａ１を該セメントボード２に接合してある最上部のタイル１、１…の上縁上に配置し、その前端から垂下する抱持片５ａ２で該タイル１、１…の上縁を外面側から抱える。
【００５０】
セメントボード２の下部小口２ｂには、図２(b)、(c)に示すように、前記上下部係止金具５の被覆係止片５ｂを配置する。特に被覆係止片５ｂの被覆板部５ｂ１を下部小口２ｂ面に接合状態に配置し、その後端の抱持片５ｂ２を該セメントボード２の背面下部に接合状態に配する。このとき、同時に、該被覆板部５ｂ１と上下抑え板部５ａ１との境界部分から直立する複数の係止舌片５ｃ、５ｃ…をセメントボード２の前面とタイル１、１…の背面との間に挿入する。この挿入は、当然、該セメントボード２と該タイル１、１…との間の接着剤が硬化しないうちに行う。このとき、更に同時に、該被覆板部５ｂ１から前方に延長する上下部係止片５ａの上下抑え板部５ａ１を該セメントボード２に接合してある最下部のタイル１、１…の下縁下に接合状態に配置し、その前端から直立する抱持片５ａ２で該タイル１、１…の下縁を外面側から抱える。
【００５１】
したがって、実施例１のタイルパネルによれば、以上のような簡単な構成であり、簡単に製造することが可能でありながら、前記中間係止金具３、前記上下部係止金具５及びリベット部材４により、該セメントボード２の前面に縦横に配列したタイル１、１…は、該セメントボード２への取り付け状態を確実なものとすることができる。
【００５２】
すなわち、実施例１のタイルパネルによれば、タイル１、１…を適切な構成の金具類（中間係止金具３、上下部係止金具５及びリベット部材４）によってセメントボード２に取り付け固定するものであり、トンネルの壁面に設置された場合に、その内部の大気中の酸性ガスの存在等による劣悪な環境下でも該タイル１、１…の剥落事故等を容易に生じさせない。タイルを基板に接着剤で接合固定したに過ぎない従来のタイルパネルでは、接着剤の劣化が容易に生じて剥落のおそれが生じるのとは大きく異なり、この差は、トンネル内でタイルの剥落事故が起こると、重大な交通事故を惹起する虞があることを考慮すれば、極めて大きい。
【００５３】
また実施例１のタイルパネルによれば、前記したように、セメントボード２の上部小口２ａと下部小口２ｂとに、前記上下部係止金具５における被覆係止片５ｂの被覆板部５ｂ１を、それぞれ接合状態に配置してあるため、基板として用いたセメントボード２の水分が滲入しやすい上部小口２ａ及び下部小口２ｂのいずれもが良好に被覆された状態となっており、それ故、該セメントボード２の内部への水分の滲入を良好に防止することができる。従ってこれに起因するセメントボード２の膨張変形を極力少なくすることができる。
【００５４】
更に実施例１のタイルパネルによれば、前記中間係止金具３の下縁係止部３ａ２及び上縁係止部３ｂ２をそれぞれタイル１、１…の下縁又は上縁を外面側から抑えるべく鋭角に屈曲して形成したものであり、そのため、前記下縁係止部３ａ２及び前記上縁係止部３ｂ２の先端側がタイル１、１…の外面から反り返って離間した状態になることはない。特に図２(c)に示すように、前記下縁係止部３ａ２及び前記上縁係止部３ｂ２は、その基部側がタイル１、１…の下縁又は上縁から若干離間状態となり、その先端側は該タイル１、１…の外面に確実に当接状態となるものである。それ故、該下縁係止部３ａ２及び該上縁係止部３ｂ２によるタイル１、１…の保持が確実になり、更にトンネルの壁面を洗浄装置で洗浄する際に、該下縁係止部３ａ２及び該上縁係止部３ｂ２の先端側に、ブラシ等の洗浄部材が引っかかってしまうような問題も生じない。
【００５５】
＜実施例２＞
この実施例２のタイルパネルは、図７(a)〜(c)及び図８(a)〜(c)に示すように、実施例１に若干の変形を加えた例である。実施例２のタイルパネルは、同図に示すように、タイル１１、セメントボード２、中間係止金具１３、リベット部材４及び上下部係止金具１５で構成するものであり、実施例１のタイル１、セメントボード２、中間係止金具３、リベット部材４及び上下部係止金具５とは、タイル１１、中間係止金具１３及び上下部係止金具１５のそれぞれの一部において異なる点を有する。それ以外は同一である。以下には、異なる点を中心に説明する。
【００５６】
前記タイル１１が実施例１のタイル１と異なるのは、前者のタイル１１の上下縁に段差状切欠部１１ａ、１１ａを有することであり、この段差状切欠部１１ａ、１１ａは、図８(a)〜(c)及び図１０(d)〜(f)に示すように、タイル１１の上下縁に沿って両端まで延びるように、かつその段差深さはほぼタイル１１の厚さの半分程度に形成したものである。
【００５７】
前記中間係止金具１３は、詳細には、図１０(a)〜(c)に示す構成要素であり、これが実施例１の中間係止金具３と異なるのは、下縁係止片１３ａを構成する要素のうちの載置板部１３ａ１及び上縁係止片１３ｂを構成する要素のうちの上部抑え板部１３ｂ１の延長幅寸法である。該載置板部１３ａ１及び該上部抑え板部１３ｂ１の延長幅寸法は、特に図８(a)、(c)に示すように、タイル１１の上下縁の前記段差状切欠部１１ａを形成しない部位の厚さ寸法に対応し、これを僅かに越える程度の幅寸法とする。
【００５８】
前記上下部係止金具１５は、詳細には、図９(a)〜(f)に示す構成要素であり、これが実施例１の上下部係止金具５と異なるのは、該上下部係止金具１５を構成する要素のうちの上下抑え板部１５ａ１の延長幅寸法である。該上下抑え板部１５ａ１の延長幅寸法は、特に図８(a)、(c)に示すように、タイル１１の上下縁の前記段差状切欠部１１ａを形成しない部位の厚さ寸法に対応し、これとほぼ同程度の幅寸法とする。
【００５９】
従ってこの実施例２のタイルパネルは、図７(a)〜(c)に示すように、セメントボード２の前面にタイル１１、１１…を縦横に配列し、該タイル１１、１１…を、前記中間係止金具１３、１３…と、上下部係止金具１５、１５と、前記中間係止金具１３、１３…をセメントボード２に固定するリベット部材４、４…とで、固定することで、容易かつ確実に構成することができる。
【００６０】
セメントボード２の前面に縦横に配列したタイル１１、１１…は、この実施例２では、実施例１の場合と同様に、その裏面に予め接着剤を施しておくことにより、セメントボード２の前面への配列時に、一応の固定ができるようにしておく。この接着剤は、セメントボード２の前面側に予め施しておくこととしても良い。接着剤としては、エポキシ系のそれが適当であり、この実施例２では、それを用いている。
【００６１】
この後、上下隣接するタイル１１、１１…の間の目地には、図７(b)、(c)及び図８(b)、(c)に示すように、いずれも前記中間係止金具１３を配置する。同図に示すように、このように配置すると、直上のタイル１１、１１…の下縁のうちの段差状切欠部１１ａ以外の部分を前記下縁係止片１３ａの載置板部１３ａ１で受け、その先端の下縁係止部１３ａ２で該直上のタイル１１、１１…の下縁の段差状切欠部１１ａの前面を外面側から抱えた状態となる。また、同図に示すように、直下のタイル１１、１１…の上縁のうちの段差状切欠部１１ａ以外の部分を前記上縁係止片１３ｂの上部抑え板部１３ｂ１で抑え、その先端の上縁係止部１３ｂ２で該直下のタイル１１、１１…の上縁の段差状切欠部１１ａの前面を外面側から抱えた状態となる。
【００６２】
前記中間係止金具１３の取付片１３ｃには、その長さ方向に沿って定間隔で取付孔１３ｃｈが開口してあり、これらの取付孔１３ｃｈ、１３ｃｈ…を利用して、前記し、特に図８(b)、(c)に示すように、前記リベット部材４により該取付片１３ｃをセメントボード２に固定する。
【００６３】
またセメントボード２の上部小口２ａと下部小口２ｂ及び最上部のタイル１１、１１…の上縁と最下部のタイル１１、１１…の下縁には、それぞれ前記上下部係止金具１５を配する。
【００６４】
セメントボード２の上部小口２ａには、特に図８(a)、(b)、(c)に示すように、前記上下部係止金具１５の被覆係止片１５ｂを配置する。特に被覆係止片１５ｂの被覆板部１５ｂ１を上部小口２ａ上に接合状態に配置し、その後端の抱持片１５ｂ２を該セメントボード２の背面上部に接合状態に配する。このとき、同時に、該被覆板部１５ｂ１と上下抑え板部１５ａ１との境界部分から垂下する複数の係止舌片１５ｃ、１５ｃ…をセメントボード２の前面とタイル１１、１１…の背面との間に挿入する。この挿入は、該セメントボード２と該タイル１１、１１…との間の接着剤が硬化しないうちに行う。このとき、更に同時に、該被覆板部１５ｂ１から前方に延長する上下部係止片１５ａの上下抑え板部１５ａ１を該セメントボード２に接合してある最上部のタイル１１、１１…の上縁のうちの段差状切欠部１１ａ以外の部分上に配置し、その前端から垂下する抱持片１５ａ２で該タイル１１、１１…の上縁の段差状切欠部１１ａの前面を外面側から抱える。
【００６５】
セメントボード２の下部小口２ｂには、図８(b)、(c)に示すように、前記上下部係止金具１５の被覆係止片１５ｂを配置する。特に被覆係止片１５ｂの被覆板部１５ｂ１を下部小口２ｂ面に接合状態に配置し、その後端の抱持片１５ｂ２を該セメントボード２の背面下部に接合状態に配する。このとき、同時に、該被覆板部１５ｂ１と上下抑え板部１５ａ１との境界部分から直立する複数の係止舌片１５ｃ、１５ｃ…をセメントボード２の前面とタイル１１、１１…の背面との間に挿入する。この挿入は、当然、該セメントボード２と該タイル１１、１１…との間の接着剤が硬化しないうちに行う。このとき、更に同時に、該被覆板部１５ｂ１から前方に延長する上下部係止片１５ａの上下抑え板部１５ａ１を該セメントボード２に接合してある最下部のタイル１１、１１…の下縁のうちの段差状切欠部１１ａ以外の部分下に接合状態に配置し、その前端から直立する抱持片１５ａ２で該タイル１１、１１…の下縁の段差状切欠部１１ａの前面を外面側から抱える。
【００６６】
したがって、実施例２のタイルパネルによれば、以上のような簡単な構成であり、簡単に製造することが可能でありながら、前記中間係止金具１３、前記上下部係止金具１５及びリベット部材４により、該セメントボード２の前面に縦横に配列したタイル１１、１１…は、該セメントボード２への取り付け状態を確実なものとすることができる。
【００６７】
その他、実施例２のタイルパネルによれば、基本的に、実施例１のタイルパネルと同様の効果を有する。
更に実施例２のタイルパネルによれば、前記中間係止金具１３の下縁係止部１３ａ２及び上縁係止部１３ｂ２をそれぞれタイル１１、１１…の下縁又は上縁の段差状切欠部１１ａの前面を外面側から抑えるべく鋭角に屈曲して形成したものであり、そのため、前記下縁係止部１３ａ２及び前記上縁係止部１３ｂ２の先端側がタイル１１、１１…の外面から反り返って離間した状態になることはない。それ故、前記下縁係止部１３ａ２及び前記上縁係止部１３ｂ２によるタイル１１、１１…の保持が確実になり、加えて、該下縁係止部１３ａ２及び該上縁係止部１３ｂ２が、タイル１１、１１…の前面から若干後退した段差状切欠部１１ａの前面に位置することとなるため、これらが外部から目立たなくなり、特にこれはトンネルの壁面に設置するものであるから、走行する自動車から見ることとなるため、殆どその存在が不明な程度となる。また該下縁係止部１３ａ２及び該上縁係止部１３ｂ２は、以上のように、タイル１１、１１…の前面から後退した位置に存在するので、トンネルの壁面への設置状態で、その壁面を洗浄装置で洗浄しても、その際に、その先端も含めて、いずれの部位にもブラシ等のその洗浄部材が引っかかってしまうような問題は生じない。
【００６８】
また実施例２のタイルパネルによれば、実施例１のタイルパネルのそれと同様に、前記上下部係止金具１５を構成する前記被覆係止片１５ｂを、前記セメントボード２の上部小口２ａ又は下部小口２ｂを被覆する帯状の被覆板部１５ｂ１と、該被覆板部１５ｂ１の後端から垂下又は直立する抱持片１５ｂ２とで構成したものであり、該上部小口２ａ又は該下部小口２ｂを確実に被覆できるものであり、それ故、セメントボード２中への上部小口２ａ又は下部小口２ｂからの水分の滲入を防止することが可能であり、該セメントボード２の水分の滲入による膨張等の変形を防止することが可能になる。
【００６９】
＜実施例３＞
この実施例３のタイルパネルは、図１１(a)〜(c)及び図１２(a)〜(c)に示すように、実施例１に若干の変形を加えた例である。
実施例３のタイルパネルは、同図に示すように、タイル２１、セメントボード２、中間係止金具２３、リベット部材４及び上下部係止金具２５で構成するものであり、実施例１のタイル１、セメントボード２、中間係止金具３、リベット部材４及び上下部係止金具５とは、タイル２１、中間係止金具２３及び上下部係止金具２５のそれぞれの一部において異なる点を有する。それ以外は同一である。以下には、異なる点を中心に説明する。
【００７０】
前記タイル２１が実施例１のタイル１と異なるのは、前者のタイル２１の上下縁の前面側角部に面取り状切欠部２１ａ、２１ａを有することであり、この面取り状切欠部２１ａ、２１ａは、図１１(a)〜(c)及び図１２(a)〜(c)に示すように、タイル２１の上下縁の前面側角部に沿って両端まで延びるように、かつその面取り量はほぼタイル２１の厚さの２／３程度までに形成したものである。
【００７１】
前記中間係止金具２３が実施例１の中間係止金具３と異なるのは、特に図１２(b)、(c)及び図１４(a)〜(g)に示すように、その下縁係止片２３ａを構成する要素のうちの載置板部２３ａ１と上縁係止片２３ｂを構成する要素のうちの上部抑え板部２３ｂ１との延長幅寸法、及び該下縁係止片２３ａを構成する他の要素である下縁係止部２３ａ２と該上縁係止片２３ｂを構成する他の要素である上縁係止部２３ｂ２との、載置板部２３ａ１又は上部抑え板部２３ｂ１との間の屈曲角度である。
【００７２】
前記載置板部２３ａ１及び前記上部抑え板部２３ｂ１の延長幅寸法は、特に図１２(c)に示すように、タイル２１の上下縁の前記面取り状切欠部２１ａを形成しない部位の厚さ寸法に対応し、これと同程度の幅寸法とする。
【００７３】
また図１２(c)及び図１４(f)、(g)に示すように、前記下縁係止部２３ａ２と載置板部２３ａ１との間、及び前記上縁係止部２３ｂ２と上部抑え板部２３ｂ１との間の、各屈曲角度は、前者の下縁係止部２３ａ２は、該載置板部２３ａ１の先端で上側に屈曲する鈍角であり、直上のタイル２１、２１…の下縁の前記面取り状切欠部２１ａに当接してこれを抱え得る角度であり、後者の上縁係止部２３ｂ２は、前記上部抑え板部２３ｂ１の先端で下側に屈曲する鈍角であり、直下のタイル２１、２１…の上縁の前記面取り状切欠部２１ａに当接してこれを抱え得る角度である。
【００７４】
前記上下部係止金具２５が実施例１の上下部係止金具５と異なるのは、特に図１２(a)〜(c)及び図１３(a)〜(g)に示すように、該上下部係止金具２５を構成する要素のうちの上下抑え板部２５ａ１の延長幅寸法、及び他の要素である抱持片２５ａ２の上下抑え板部２５ａ１のとの間の角度である。
【００７５】
以上の上下抑え板部２５ａ１の延長幅寸法は、特に図１２(a)、(c)に示すように、タイル２１の上下縁の前記面取り状切欠部２１ａを形成しない部位の厚さ寸法に対応し、これとほぼ同程度の幅寸法とする。また前記抱持片２５ａ２の該上下抑え板部２５ａ１のとの間の角度は、該上下抑え板部２５ａ１の前端から下方又は上方に屈曲する鈍角であり、最上部のタイル２１、２１…の上縁又は最下部のタイル２１、２１…の下縁の前記面取り状切欠部に当接してこれを抱え得る角度である。
【００７６】
従ってこの実施例３のタイルパネルは、図１１(a)〜(c)に示すように、セメントボード２の前面にタイル２１、２１…を縦横に配列し、該タイル２１、２１…を、前記中間係止金具２３、２３…と、上下部係止金具２５、２５と、前記中間係止金具２３、２３…をセメントボード２に固定するリベット部材４、４…とで、固定することで、容易かつ確実に構成することができる。
【００７７】
セメントボード２の前面に縦横に配列したタイル２１、２１…は、この実施例３では、実施例１及び２の場合と同様に、その裏面に予め接着剤を施しておくことにより、セメントボード２の前面への配列時に、一定程度の固定ができるようにしておく。この接着剤は、セメントボード２の前面側に予め施しておくこととしても良い。
【００７８】
この後、上下隣接するタイル２１、２１…の間の目地には、図１１(b)、(c)及び図１２(b)、(c)に示すように、いずれにも前記中間係止金具２３、２３…を配置する。同図に示すように、前記取付片２３ｃをセメントボード２の前面の目地中の部位に当接するように配置すると、その直上のタイル２１、２１…の下縁のうちの面取り状切欠部２１ａ以外の部分を、前記下縁係止片２３ａの載置板部２３ａ１で受け、その先端から延長する下縁係止部２３ａ２で該直上のタイル２１、２１…の下縁の面取り状切欠部２１ａの前面を外面側から抱えた状態となる。また、同図に示すように、直下のタイル２１、２１…の上縁のうちの面取り状切欠部２１ａ以外の部分を前記上縁係止片２３ｂの上部抑え板部２３ｂ１で抑え、その先端から延長した上縁係止部２３ｂ２で該直下のタイル２１、２１…の上縁の面取り状切欠部２１ａの前面を外面側から抱えた状態となる。
【００７９】
前記中間係止金具２３の取付片２３ｃには、図１４(b)に示すように、その長さ方向に沿って定間隔で取付孔２３ｃｈが開口してあり、これらの取付孔２３ｃｈ、２３ｃｈ…を利用して、前記し、特に図１２(b)、(c)に示すように、前記リベット部材４により該取付片２３ｃをセメントボード２に固定する。
【００８０】
またセメントボード２の上部小口２ａと下部小口２ｂ及び最上部のタイル２１、２１…の上縁と最下部のタイル２１、２１…の下縁には、それぞれ前記上下部係止金具２５を配する。
【００８１】
セメントボード２の上部小口２ａには、特に図１２(a)、(b)、(c)に示すように、前記上下部係止金具２５の被覆係止片２５ｂを配置する。特に被覆係止片２５ｂの被覆板部２５ｂ１を上部小口２ａ上に接合状態に配置し、その後端の抱持片２５ｂ２を該セメントボード２の背面上部に接合状態に配する。このとき、同時に、該被覆板部２５ｂ１と上下抑え板部２５ａ１との境界部分から垂下する複数の係止舌片２５ｃ、２５ｃ…をセメントボード２の前面とタイル１１、１１…の背面との間に挿入する。この挿入は、該セメントボード２と該タイル１１、１１…との間の接着剤が硬化しないうちに行う。このとき、更に同時に、該被覆板部２５ｂ１から前方に延長する上下部係止片２５ａの上下抑え板部２５ａ１を該セメントボード２に接合してある最上部のタイル２１、２１…の上縁のうちの面取り状切欠部２１ａ以外の部分上に配置し、その前端から鈍角に屈曲延長した抱持片２５ａ２で該タイル２１、２１…の上縁の面取り状切欠部２１ａの前面を外面側から抱える。
【００８２】
セメントボード２の下部小口２ｂには、図１２(b)、(c)に示すように、前記上下部係止金具２５の被覆係止片２５ｂを配置する。特に被覆係止片２５ｂの被覆板部２５ｂ１を下部小口２ｂ面に接合状態に配置し、その後端の抱持片２５ｂ２を該セメントボード２の背面下部に接合状態に配する。このとき、同時に、該被覆板部２５ｂ１と上下抑え板部２５ａ１との境界部分から直立する複数の係止舌片２５ｃ、２５ｃ…をセメントボード２の前面とタイル２１、２１…の背面との間に挿入する。この挿入は、当然、該セメントボード２と該タイル２１、２１…との間の接着剤が硬化しないうちに行う。このとき、更に同時に、該被覆板部２５ｂ１から前方に延長する上下部係止片２５ａの上下抑え板部２５ａ１を該セメントボード２に接合してある最下部のタイル２１、２１…の下縁のうちの面取り状切欠部２１ａ以外の部分下に接合状態に配置し、その前端から鈍角に屈曲する抱持片２５ａ２で該タイル２１、２１…の下縁の面取り状切欠部２１ａの前面を外面側から抱える。
【００８３】
したがって、実施例３のタイルパネルによれば、以上のような簡単な構成であり、簡単に製造することが可能でありながら、前記中間係止金具２３、前記上下部係止金具２５及びリベット部材４により、該セメントボード２の前面に縦横に配列したタイル２１、２１…は、該セメントボード２への取り付け状態を確実なものとすることができる。
【００８４】
その他、実施例３タイルパネルによれば、基本的に、実施例１のタイルパネルと同様の効果を有する。
更に実施例３のタイルパネルによれば、前記中間係止金具２３の下縁係止部２３ａ２及び上縁係止部２３ｂ２をそれぞれタイル２１、２１…の下縁又は上縁の面取り状切欠部２１ａの前面を外面側から接合して抑えるべく鈍角に屈曲して形成したものであり、そのため、前記下縁係止部２３ａ２及び前記上縁係止部２３ｂ２はそのとおりにタイル２１、２１…の下縁又は上縁の面取り状切欠部２１ａに接合状態になる。それ故、前記下縁係止部２３ａ２及び前記上縁係止部２３ｂ２によるタイル２１、２１…の保持が確実になり、加えて、該下縁係止部２３ａ２及び該上縁係止部２３ｂ２が、タイル２１、２１…の前面から若干後退した面取り状切欠部２１ａの前面に位置することとなるため、これらが目立たなくなり、特に設置場所がトンネルの壁面であるため、走行する自動車から見ることとなり、殆どその存在が不明な程度となる。また該下縁係止部２３ａ２及び該上縁係止部２３ｂ２は、以上のように、タイル２１、２１…の前面から後退した位置に存在するので、トンネルの壁面に設置した場合に、その壁面を洗浄装置で洗浄しても、その際に、その先端も含めて、いずれの部位にもブラシ等のその洗浄部材が引っかかってしまうような問題は生じない。
【００８５】
また実施例３のタイルパネルによれば、実施例１のタイルパネルのそれと同様に、前記上下部係止金具２５を構成する前記被覆係止片２５ｂを、前記セメントボード２の上部小口２ａ又は下部小口２ｂを被覆する帯状の被覆板部２５ｂ１と、該被覆板部２５ｂ１の後端から垂下又は直立する抱持片２５ｂ２とで構成したものであり、該上部小口２ａ又は該下部小口２ｂを確実に被覆できるものであり、それ故、セメントボード２中への上部小口２ａ又は下部小口２ｂを通じての水分の滲入を防止することが可能であり、水分の滲入による該セメントボード２の膨張等の変形を防止することが可能になる。
【００８６】
本発明は、板ガラスを用いて複合パネルを作成する場合にも適用できる。すなわち、本発明を適用して、以上のタイル１、１１、２１に代えて、これらのタイル１、１１、２１と同サイズ、同形状の板ガラスを用いて複合パネルを作成することも可能である。
【産業上の利用可能性】
【００８７】
本発明のタイルパネルは、土木工事用部材の製造業の分野及び土木工事の分野で有効に利用することができる。
【符号の説明】
【００８８】
１    タイル
２    セメントボード（基板）
２ａ  上部小口
２ｂ  下部小口
３    中間係止金具
３ａ  下縁係止片
３ａ１  載置板部
３ａ２  下縁係止部
３ｂ  上縁係止片
３ｂ１  上部抑え板部
３ｂ２  上縁係止部
３ｃ  取付片
３ｃｈ  取付孔
４    リベット部材（固定金具手段）
４ａ  中空リベット
４ｂ  心軸
５    上下部係止金具
５ａ  上下縁係止片
５ａ１  上下抑え板部
５ａ２  抱持片
５ｂ  被覆係止片
５ｂ１  被覆板部
５ｂ２  抱持片
５ｃ  係止舌片
１１  タイル
１１ａ  段差状切欠部
１３  中間係止金具
１３ａ  下縁係止片
１３ａ１  載置板部
１３ａ２  下縁係止部
１３ｂ  上縁係止片
１３ｂ１  上部抑え板部
１３ｂ２  上縁係止部
１３ｃ  取付片
１３ｃｈ  取付孔
１５  上下部係止金具
１５ａ  上下部係止片
１５ａ１  上下抑え板部
１５ａ２  抱持片
１５ｂ  被覆係止片
１５ｂ１  被覆板部
１５ｂ２  抱持片
１５ｃ  係止舌片
２１  タイル
２１ａ  面取り状切欠部
２３  中間係止金具
２３ａ  下縁係止片
２３ａ１  載置板部
２３ａ２  下縁係止部
２３ｂ  上縁係止片
２３ｂ１  上部抑え板部
２３ｂ２  上縁係止部
２３ｃ  取付片
２３ｃｈ  取付孔
２５  上下部係止金具
２５ａ  上下部係止片
２５ａ１  上下抑え板部
２５ａ２  抱持片
２５ｂ  被覆係止片
２５ｂ１  被覆板部
２５ｂ２  抱持片
２５ｃ  係止舌片
【図１】
2014009532.tif 000003
【図２】
2014009532.tif 000004
【図３】
2014009532.tif 000005
【図４】
2014009532.tif 000006
【図５】
2014009532.tif 000007
【図６】
2014009532.tif 000008
【図７】
2014009532.tif 000009
【図８】
2014009532.tif 000010
【図９】
2014009532.tif 000011
【図１０】
2014009532.tif 000012
【図１１】
2014009532.tif 000013
【図１２】
2014009532.tif 000014
【図１３】
2014009532.tif 000015
【図１４】
2014009532.tif 000016